(57)【要約】【課題】小型の光量調節装置において、遮光羽根の長穴部とレバーの駆動ピンとの抜けを回避する。【解決手段】光量調節装置は、ベース部材２に対して移動することにより絞り開口Ａの大きさを変化させる遮光羽根４，５と、駆動力を発生する駆動部１と、該駆動部からの駆動力により回動されて遮光羽根を移動させるレバー部材３とを有する。レバー部材は、遮光羽根に形成された長穴部４１，５１に挿入される駆動ピン３１，３３を有する。駆動ピンの軸方向の一部に、該駆動ピンと長穴部との抜けを阻止するための抜け止め部３２，３４が設けられている。駆動ピンの軸方向視において、抜け止め部は、長穴部の長さ方向とは異なる第１の方向において長穴部の幅よりも長く、かつ該長穴部の長さよりも短い長さを有し、第１の方向に直交する第２の方向において長穴部の幅よりも短い長さを有する。【選択図】図１
2013007773.tif 000002
【特許請求の範囲】
【請求項１】
固定開口を有するベース部材と、
前記固定開口を通過する光量を調節するための絞り開口を形成し、前記ベース部材に対して移動することにより前記絞り開口の大きさを変化させる遮光羽根と、
駆動力を発生する駆動部と、
該駆動部からの駆動力により回動されて前記遮光羽根を移動させるレバー部材とを有し、
前記レバー部材は、前記遮光羽根に形成された長穴部に挿入された駆動ピンを有し、
前記駆動ピンの軸方向の一部に、該駆動ピンの前記長穴部からの抜けを阻止するための抜け止め部が設けられており、
前記駆動ピンの軸方向視において、前記抜け止め部は、前記長穴部の長さ方向とは異なる第１の方向において前記長穴部の幅よりも長く、かつ該長穴部の長さよりも短い長さを有し、前記第１の方向に直交する第２の方向において前記長穴部の幅よりも短い長さを有することを特徴とする光量調節装置。
【請求項２】
前記長穴部の長さ方向と前記第１の方向とを一致させることにより該長穴部への前記駆動ピンの挿入が可能であり、前記長穴部の長さ方向と前記第１の方向とが異なる向きとなるように前記遮光羽根および前記レバー部材のうち一方が他方に対して回転された状態において、前記遮光羽根を、前記ベース部材に対して前記絞り開口の大きさを変化させる方向に移動可能に保持させることが可能な構造を有することを特徴とする請求項１に記載の光量調節装置。
【請求項３】
前記抜け止め部は、前記軸方向視において、前記駆動ピンのピン部の両側に突出した形状を有することを特徴とする請求項１又は２に記載の光量調節装置。
【請求項４】
請求項１から３のいずれか一項に記載の光量調節装置を有することを特徴とする光学機器。
【請求項５】
固定開口を有するベース部材と、
前記固定開口を通過する光量を調節するための絞り開口を形成し、前記ベース部材に対して移動することにより前記絞り開口の大きさを変化させる遮光羽根と、
駆動力を発生する駆動部と、
該駆動部からの駆動力により回動されて前記遮光羽根を移動させるレバー部材とを有し、
前記レバー部材は、前記遮光羽根に形成された長穴部に挿入されて係合する駆動ピンを有し、
前記駆動ピンの軸方向の一部に、該駆動ピンの前記長穴部からの抜けを阻止するための抜け止め部が設けられており、
前記駆動ピンの軸方向視において、前記抜け止め部は、前記長穴部の長さ方向とは異なる第１の方向において前記長穴部の幅よりも長く、かつ該長穴部の長さよりも短い長さを有し、前記第１の方向に直交する第２の方向において前記長穴部の幅よりも小さい長さを有する光量調節装置の製造方法であって、
前記長穴部の長さ方向と前記第１の方向とを一致させて該長穴部に前記駆動ピンを挿入する工程と、
該駆動ピンが前記長穴部に挿入された状態で、前記長穴部の長さ方向と前記第１の方向とが異なる向きとなるように前記遮光羽根および前記レバー部材のうち一方を他方に対して回転させる工程と、
前記遮光羽根を、前記ベース部材に対して前記絞り開口の大きさを変化させる方向に移動可能に保持させる工程とを行うことを特徴とする光量調節装置の製造方法。
【発明の詳細な説明】
【技術分野】
【０００１】
本発明は、ビデオカメラ、スチルカメラ、交換レンズ等の光学機器に搭載される光量調節装置に関する。
【背景技術】
【０００２】
上記のような光学機器の光量調節装置として、図７に示すように、固定開口が形成された地板６０に対して２枚の絞り羽根（遮光羽根）６１を互いに反対方向に移動させることにより絞り開口の大きさを変化させる、いわゆるギロチン式絞り装置が用いられている。このギロチン式絞り装置では、２枚の絞り羽根６１のそれぞれに形成した長穴部に、レバー部材６２の両端に設けられた駆動ピンを挿入し、該レバー部材をモータ６４により回動させることで、２枚の絞り羽根６１が互いに反対方向に駆動される。
【０００３】
絞り羽根６１の長穴部と駆動ピンとの抜けを防止するために、地板６０に対して絞り羽根６１を押さえる押さえ板６３を用いる方法がある。ただし、押さえ板６３を用いることで、絞り装置の薄型化が難しくなる。
【０００４】
そこで、特許文献１，２にて開示されているように、駆動ピンの先端に、該駆動ピンの直径および長穴部の幅よりも大きい寸法を有する抜け止め部（鍔部）を形成する方法がある。この方法では、絞り羽根における長穴部の延長部分として、絞り羽根の通常の駆動時には駆動ピンと係合せず、抜け止め部の寸法より大きい幅を有する組込み用穴部が形成される。抜け止め部を組込み用穴部に挿入してこれを貫通させた後、駆動ピンを長穴部内に移動させることで、駆動ピンが長穴部に挿入（係合）される。
【先行技術文献】
【特許文献】
【０００５】
【特許文献１】実開平４−１０１５３４号公報
【特許文献２】実開昭６０−１４００３５号公報
【発明の概要】
【発明が解決しようとする課題】
【０００６】
しかしながら、特許文献１，２にて開示された方法では、絞り羽根に、その駆動に必要な長穴部に繋げて組込み用穴部を形成する必要がある。このため、絞り羽根が大きくなり、光量調節装置の小型化を困難とする。
【０００７】
本発明は、小型でありながらも、遮光羽根に形成された長穴部とレバーに形成された駆動ピンとの抜けを回避できるようにした光量調節装置およびこれを搭載した光学機器を提供する。
【課題を解決するための手段】
【０００８】
本発明の一側面としての光量調節装置は、固定開口を有するベース部材と、固定開口を通過する光量を調節するための絞り開口を形成し、ベース部材に対して移動することにより絞り開口の大きさを変化させる遮光羽根と、駆動力を発生する駆動部と、該駆動部からの駆動力により回動されて遮光羽根を移動させるレバー部材とを有する。レバー部材は、遮光羽根に形成された長穴部に挿入される駆動ピンを有する。駆動ピンの軸方向の一部に、該駆動ピンと長穴部との抜けを阻止するための抜け止め部が設けられている。駆動ピンの軸方向視において、抜け止め部は、長穴部の長さ方向とは異なる第１の方向において長穴部の幅よりも長く、かつ該長穴部の長さよりも短い長さを有し、第１の方向に直交する第２の方向において長穴部の幅よりも短い長さを有することを特徴とする。
【０００９】
なお、上記光量調節装置を搭載した光学機器も、本発明の他の一側面を構成する。
【発明の効果】
【００１０】
本発明によれば、遮光羽根に、長穴部に繋がる組込み用穴部を形成することなく、抜け止め部を有する駆動ピンを遮光羽根に挿入することができるため、遮光羽根および光量調節装置を小型化することができる。
【図面の簡単な説明】
【００１１】
【図１】本発明の実施例である絞り装置の分解斜視図。
【図２】実施例の絞り装置におけるレバーに設けられた駆動ピンの斜視図。
【図３】上記駆動ピンが絞り羽根の長穴部に組み込まれた状態を説明する図。
【図４】上記駆動ピンの長穴部への組み込みを説明する図。
【図５】実施例の絞り装置において絞り羽根をガイドするガイドピンの形状を説明する。
【図６】実施例の絞り装置を搭載したカメラの構成を示すブロック図。
【図７】従来の絞り装置の分解斜視図。
【発明を実施するための形態】
【００１２】
以下、本発明の実施例について図面を参照しながら説明する。
【実施例１】
【００１３】
図１には、本発明の実施例である光量調節装置としての絞り装置を分解して示している。１は駆動部であり、ステッピングモータ等のアクチュエータにより構成される。２はベース部材としての地板であり、駆動部１を保持する。地板２には、固定開口２５が形成されている。以下の説明において、固定開口２５の開口面の中心を通り、該開口面に直交する軸を光軸６といい、該光軸が延びる方向を光軸方向という。
【００１４】
駆動部１の出力軸１１には、レバー部材（以下、単にレバーという）３が圧入等により取り付けられている。駆動部１に通電されて出力軸１１が回転することで、レバー３が回動される。
【００１５】
レバー３には、遮光羽根としての２枚の絞り羽根４，５が連結されている。レバー３の回動によって、駆動部１により発生された駆動力が絞り羽根４，５に伝達され、これら絞り羽根４，５は地板２の固定開口２５に対して光軸６に直交する方向における互いに反対側にスライド（移動）する。これにより、絞り羽根４，５によって形成される絞り開口（光通過開口）の大きさが変化し、固定開口２５（つまりは絞り開口）を通過する光量が調節される。レバー３の回動範囲は、地板２に設けられた不図示のストッパによって、絞り開口の大きさが全開と全閉との間で変化する範囲（例えば、３５〜６０度）に制限される。
【００１６】
絞り羽根４，５は、ＰＥＴ等の遮光性を有する樹脂製のシートにより形成されており、その厚みは、例えば５０〜１２５μｍである。絞り羽根４，５は、地板２によって、光軸６に直交する方向のうち絞り開口の大きさを変化させる特定の一方向（以下、スライド方向という）にて互いに反対側にスライド可能に保持される。
【００１７】
以上が絞り装置の概要である。以下、地板２による絞り羽根４，５の保持構造およびレバー３と絞り羽根４，５との連結構造についてより詳しく説明する。
【００１８】
絞り羽根４には、地板２に設けられたガイドピン２１，２２，２３が挿入されて係合するガイド溝部４２，４３および浮き止め溝部４４が形成されている。浮き止め溝部４４は、ガイド溝部４２，４３よりも若干幅広に形成されている。また、絞り羽根５には、地板２に設けられたガイドピン２３，２４，２１が挿入されて係合するガイド溝部５２，５３および浮き止め溝部５４が形成されている。浮き止め溝部５４は、ガイド溝部５２，５３よりも若干幅広に形成されている。
【００１９】
各ガイドピンが各ガイド溝部と係合することにより、各絞り羽根はスライド方向にガイドされる。また、後述する抜け止め構造により、各ガイドピンと各ガイド溝部との抜けが防止される。さらに、各浮き止め溝部およびこれに係合するガイドピンは、各絞り羽根をスライド方向にガイドする機能は持たないが、後述する抜け止め構造により浮き止め溝部５４とガイドピンとの抜け、すなわち各絞り羽根の地板２に対する浮きを防止する。
【００２０】
各ガイドピンの光軸方向における先端部には、図５にガイドピン２１を拡大して示すように、光軸６に直交する方向のうちスライド方向に対して直交する方向（地板１の外側に向かう方向）に突出した抜け止め部２１ａが形成されている。抜け止め部２１ａを含むガイドピン２１の軸方向断面（ガイドピン２１の軸方向に沿った断面）は、Ｌ字形状を有する。抜け止め部２１ａは、絞り羽根４，５のガイド溝部４２を通り抜けて絞り羽根４，５におけるガイド溝部４２の外側の部分に対向し、ここを絞り羽根４，５とガイドピン２１との抜けを防止するように押さえる（保持する）。
【００２１】
なお、本実施例では、各絞り羽根の片側においてスライド方向に並んだ２つのガイドピンによって該絞り羽根をスライド方向にガイドする構成を採用しているが、１つのガイドピンによってガイドしてもよい。また、３つ以上のガイドピンでガイドするようにしてもよい。
【００２２】
一方、レバー３は、その長手方向の中央に出力軸１１への取り付け部を有し、該取り付け部の両側に腕部を有する。両腕部の先端には、光軸方向に延びる駆動ピン３１，３３が形成されている。駆動ピン３１，３３はそれぞれ、２枚の絞り羽根４，５にスライド方向に対して直交する方向に延びるように形成された長穴部４１，５１に挿入されて係合する。なお、長穴部４１，５１は、レバー３の回動範囲に応じて、スライド方向に対して直交する方向から傾いて延びるように形成されてもよいし、円弧状に延びるように形成されてもよい。
【００２３】
駆動ピン３１，３３はそれぞれ、その軸方向（光軸方向に平行な方向）の先端に、抜け止め部３２，３４を有する。抜け止め部３２，３４はそれぞれ、長穴部４１，５１を通り抜けて絞り羽根４，５における長穴部４１，５１の幅方向両外側の部分に対向し、長穴部４１，５１（絞り羽根４，５）と駆動ピン３１，３３との抜けを防止するようにここを押さえる（保持する）。
【００２４】
本実施例では、抜け止め部３２，３４を、駆動ピン３１，３３のピン部からその径方向両外側に張り出した形状に形成している。つまり、抜け止め部３２，３４を含む駆動ピン３１，３３の軸方向断面（各駆動ピンの軸方向に沿った断面）は、Ｔ字形状を有する。ただし、抜け止め部を駆動ピンのピン部からその径方向片外側に張り出させて、駆動ピンの軸方向断面がＬ字形状となるようにしてもよい。
【００２５】
また、本実施例では、抜け止め部３２，３４を駆動ピン３１，３３の軸方向の先端に設けているが、必ずしも先端に設ける必要はなく、軸方向の中間部等、その一部であればよい。
【００２６】
以下、抜け止め部３２，３４を含む駆動ピン３１，３３の形状および寸法について、図２および図３を用いて詳しく説明する。駆動ピン３１，３３は互いに同じ形状および寸法を有するので、ここでは駆動ピン３１およびこれが係合する絞り羽根４の長穴部４１のみについて説明するが、図２および図３には駆動ピン３３およびこれが係合する絞り羽根５の長穴部５１も同じであるという意味で、符号を括弧書きで示す。図２および図３において、Ａは駆動ピン３１の軸を示し、該軸Ａが延びる方向が上述した駆動ピン３１の軸方向（以下、ピン軸方向という）である。図３は、駆動ピン３１および絞り羽根４に形成されたガイド溝部４１を、ピン軸方向から見たとき（すなわち、ピン軸方向視）の形状を示している。
【００２７】
駆動ピン３１のピン部は、図２に示すように、その直径がａの円筒形状を有する。ただし、本実施例では、ピン部の外周面の一部（後述する抜け止め部３２の幅方向の両側）を平面として形成している。直径ａは、図３に示す長穴部４１の幅ｄより小さい。図２および図３に示すように、駆動ピン３１に形成された抜け止め部３２は、ピン軸方向視において、ピン部の径方向両側に突出したほぼ矩形の形状を有し、全体としてはほぼ直方体の形状を有する。
【００２８】
そして、抜け止め部３２は、図３に示すピン軸方向視において、長穴部４１の長さ方向（図３中の横方向）とは異なる第１の方向（図３中の縦方向：以下、抜け止め部３２の長さ方向という）において長穴部４１の幅ｄよりも長く、かつ該長穴部４１の長さｅよりも短い長さｃを有する。また、第１の方向に直交する第２の方向（図３中の横方向：以下、抜け止め部３２の幅方向という）において長穴部４１の幅ｄよりも短い長さ（幅）ｂを有する。
【００２９】
なお、本実施例では、抜け止め部３２をほぼ直方体形状に形成した場合を示すが、長さｃと幅ｂが長穴部４１の幅ｄと長さｅに対して上述した関係（ｄ＜ｃ＜ｅ，ｂ＜ｄ）を満足すれば他の形状を有していてもよい。
【００３０】
このような抜け止め部３２を有する駆動ピン３１と絞り羽根４の長穴部４１とを係合させるには、例えば以下のようにするとよい。ここでは、地板２に対して駆動部１が固定され、駆動部１の出力軸１１にレバー３が取り付けられているものとする。
【００３１】
まず、絞り羽根４を、長穴部４１の長さ方向（長さｅの方向）が抜け止め部３２の長さ方向に一致する向きとして、長穴部４１に抜け止め部３２側から駆動ピン３１を挿入する。その後、長穴部４１の長さ方向が抜け止め部３２の長さ方向と異なる向きとなるように駆動ピン３１回りで絞り羽根４を回転させる。そして、この状態で、絞り羽根４のガイド溝部４２，４３および浮き止め溝部４４に地板２のガイドピン２１，２２，２３を挿入させながら絞り羽根４を地板２上に配置する。こうして、絞り羽根４は、長穴部４１とレバー３の駆動ピン３１との抜けが阻止された状態で、地板２に対して絞り開口の大きさを変化させる方向にスライド可能に保持される。
【００３２】
なお、ここでは固定されたレバー３の駆動ピン３１に対して、絞り羽根４を回転させて長穴部４１を係合させる場合について説明したが、絞り羽根４の向きを固定して、レバー３を回転させて駆動ピン３１を長穴部４１に係合させるようにしてもよい。この場合、レバー３を、抜け止め部３２の長さ方向が長穴部４１の長さ方向に一致する向きとして、長穴部４１に抜け止め部３２側から駆動ピン３１を挿入する。その後、抜け止め部３２の長さ方向が長穴部４１の長さ方向と異なる向きとなるようにレバー３を回転させる。この状態で、絞り羽根４のガイド溝部４２，４３および浮き止め溝部４４に地板２のガイドピン２１，２２，２３を挿入させながら絞り羽根４を地板２上に配置する。
【００３３】
これらの組み立て方法（絞り装置の製造方法）を用いることにより、ごく薄く強度的にも強くない絞り羽根４の長穴部４１の周辺部分を変形させることなく、長穴部４１に駆動ピン３１を係合させることができる。
【００３４】
そして、本実施例によれば、絞り羽根４に形成する長穴部４１の長さｅは、絞り羽根４を通常の光量調節に際して駆動するために必要な長さに設定することができる。つまり、抜け止め部３２を含む駆動ピン３１を長穴部４１に係合させるための専用の組込み用穴部を長穴部４１に繋げて形成する必要がない。したがって、絞り羽根４の大型化を回避することができる。
【００３５】
なお、地板２のガイドピン２１，２２，２３と絞り羽根４のガイド溝部４２，４３および浮き止め溝部４４とを係合させる際には、ガイドピン２１，２２，２３の抜け止め部（２１ａ）が片側に突出しているだけであるので、樹脂シートである絞り羽根４の各ガイド溝部の周辺部分を若干弾性変形させることで、容易に係合させることができる。
【００３６】
以上説明したように、本実施例によれば、地板２とは別の押さえ板を用いることなく、しかも絞り羽根４，５を大きくすることなく、絞り羽根４，５の地板２およびレバー３からの脱落を防止することができる。したがって、絞り装置の小型化を図ることができる。
【００３７】
図６には、本実施例の絞り装置１０が搭載された光学機器としてのカメラ（ビデオカメラ又はスチルカメラ）を示す。５０はカメラ本体であり、５１，５３は複数のレンズである。レンズ５１，５３および絞り装置１０により、撮影光学系が構成される。５２はＣＣＤセンサやＣＭＯＳセンサ等により構成される撮像素子であり、撮影光学系により形成された被写体像を光電変換する。５４はＣＰＵ等により構成されるコントローラであり、絞り装置１０（駆動部１）や撮像素子５２の動作を制御する。なお、絞り装置１０は、シャッタ機能を有していてもよい。上述したように、本実施例の絞り装置１０は小型であるので、これを搭載したカメラも小型化することができる。
【００３８】
以上説明した各実施例は代表的な例にすぎず、本発明の実施に際しては、各実施例に対して種々の変形や変更が可能である。
【産業上の利用可能性】
【００３９】
小型の光量調節装置およびこれを搭載した光学機器を提供できる。
【符号の説明】
【００４０】
１  駆動部
２  地板
３  レバー
４，５  絞り羽根
３１，３３    駆動ピン
３２，３４    抜け止め部
４１，５１    長穴部
【図１】
2013007773.tif 000003
【図２】
2013007773.tif 000004
【図３】
2013007773.tif 000005
【図４】
2013007773.tif 000006
【図５】
2013007773.tif 000007
【図６】
2013007773.tif 000008
【図７】
2013007773.tif 000009